(57)【要約】【課題】使用者が補助光を必要とする撮影において、最終的な構図の決定に十分なＬＥＤの輝度が得られるとともに、消費電力を抑えたカメラ付の小型パソコン等の携帯型情報処理装置およびそのＬＥＤ点灯制御方法を提供する。【解決手段】カメラ装置と、ＬＥＤ１１２と、ＬＥＤ１１２の点灯の制御を行うＬＥＤ点灯制御部１３４と、ＬＥＤ１１２のＯＮ／ＯＦＦを行うスイッチ部１３２およびＬＥＤの発光輝度の切替えを行う点灯切替部１３３とを備え、カメラ装置のシャッター操作の過程において点灯切替部１３３を動作させ、少なくともＬＥＤ１１２の発光輝度の切替えを行う。【選択図】図５
2009210680.tif 000002
【特許請求の範囲】
【請求項１】
カメラ装置と、フラッシュ用のＬＥＤとを備えた携帯型情報処理装置であって、
前記ＬＥＤを低輝度で点灯させるＬＥＤ点灯手段と、
前記カメラ装置の撮影動作を開始する撮影動作開始手段と、
前記撮影動作開始より所定時間前に前記ＬＥＤの輝度を低輝度から高輝度に切り替える輝度切替え手段とを備えた携帯型情報処理装置。
【請求項２】
半押し、全押し、解除の少なくとも３つの操作状態を有するシャッターボタンをさらに備え、
前記シャッターボタンの半押し操作で、前記ＬＥＤ点灯手段は前記ＬＥＤを低輝度で点灯させ、
前記シャッターボタンの全押し操作で、前記輝度切替え手段は前記ＬＥＤの輝度を低輝度から高輝度に切り替え、
前記シャッターボタンの解除操作で、前記撮影動作開始手段は前記カメラ装置の撮影動作を開始させる請求項１に記載の携帯型情報処理装置。
【請求項３】
半押し、全押しの少なくとも２つの操作状態を有するシャッターボタンと、
ＬＥＤ点灯ボタンとをさらに備え
前記ＬＥＤ点灯ボタンの押下操作で、前記ＬＥＤ点灯手段は前記ＬＥＤを低輝度で点灯させ、
前記シャッターボタンの半押し操作で、前記輝度切替え手段は前記ＬＥＤの輝度を低輝度から高輝度に切り替え、
前記シャッターボタンの全押し操作で、前記撮影動作開始手段は前記カメラ装置の撮影動作を開始させる請求項１に記載の携帯型情報処理装置。
【請求項４】
押下、解除の少なくとも２つの操作状態を有するシャッターボタンとＬＥＤ点灯ボタンをさらに備え
前記ＬＥＤ点灯ボタンの押下操作で、前記ＬＥＤ点灯手段は前記ＬＥＤを低輝度で点灯させ、
前記シャッターボタンの押下操作で、前記輝度切替え手段は前記ＬＥＤの輝度を低輝度から高輝度に切り替え、
前記シャッターボタンの解除操作で、前記撮影動作開始手段は前記カメラ装置の撮影動作を開始させる請求項１に記載の携帯型情報処理装置。
【請求項５】
カメラ装置と、フラッシュ用のＬＥＤとを備えた携帯型情報処理装置のＬＥＤ点灯制御方法であって、
前記ＬＥＤを低輝度で点灯させるＬＥＤ点灯ステップと、
前記ＬＥＤの輝度を低輝度から高輝度に切り替える輝度切替えステップと、
前記カメラ装置の撮影動作を開始する撮影動作開始ステップとを備えた携帯型情報処理装置のＬＥＤ点灯制御方法。
【請求項６】
半押し、全押し、解除の少なくとも３つの操作状態を有するシャッターボタンをさらに備えた携帯型情報処理装置のＬＥＤ点灯制御方法であって、
前記シャッターボタンの半押し操作で、前記ＬＥＤ点灯ステップが実行され、
前記シャッターボタンの全押し操作で、前記輝度切替えステップが実行され、
前記シャッターボタンの解除操作で、前記撮影動作開始ステップが実行される請求項５に記載の携帯型情報処理装置のＬＥＤ点灯制御方法。
【請求項７】
半押し、全押しの少なくとも２つの操作状態を有するシャッターボタンと、
ＬＥＤ点灯ボタンとをさらに備えた携帯型情報処理装置のＬＥＤ点灯制御方法であって、
前記ＬＥＤ点灯ボタンの押下操作で、前記ＬＥＤ点灯ステップが実行され、
前記シャッターボタンの半押し操作で、前記輝度切替えステップが実行され、
前記シャッターボタンの全押し操作で、前記撮影動作開始ステップが実行される請求項５に記載の携帯型情報処理装置のＬＥＤ点灯制御方法。
【請求項８】
押下、解除の少なくとも２つの操作状態を有するシャッターボタンとＬＥＤ点灯ボタンをさらに備えた携帯型情報処理装置のＬＥＤ点灯制御方法であって、
前記ＬＥＤ点灯ボタンの押下操作で、前記ＬＥＤ点灯ステップが実行され、
前記シャッターボタンの押下操作で、前記輝度切替えステップが実行され、
前記シャッターボタンの解除操作で、前記撮影動作開始ステップが実行される請求項５に記載の携帯型情報処理装置のＬＥＤ点灯制御方法。
【発明の詳細な説明】
【技術分野】
【０００１】
本発明は、小型パソコン等の携帯型情報処理装置に関し、特に、カメラとフラッシュ用のＬＥＤを備えた携帯型情報処理装置およびそのＬＥＤ点灯制御方法に関するものである。
【背景技術】
【０００２】
近年、普及が著しいノートパソコン（以下、パソコンを「ＰＣ」と略記する）やモバイルＰＣにおいては、使用者の膝上や、机上、屋外使用など、様々な用途において快適に使用できる多様な機能と利便性に優れた品質が求められている。
【０００３】
特に、ノートＰＣやウルトラモバイルＰＣ（仮称：ノートＰＣより小さく、パームトップＰＣよりは大きいＰＣ）の場合は、例えば、使用者がＰＣを業務用に所持して屋外で作業を行う用途を想定しており、ＰＣへのカメラ内蔵の要望が増えているが、ＰＣにカメラを搭載するためには照明用の光源を必要とする。
【０００４】
光源の利用技術に関しては、携帯電話などにおいて、夜間撮影をする場合に補助光としてＬＥＤを点灯させる方法が一般的であるが、照明用のＬＥＤは消費電力が大きく、ＰＣの電池駆動時間が短くなるという課題があった。特に、ＬＥＤの点灯パターンについては、常時点灯のモードしかないため、夜間に長時間使用すると電池の消耗が速くなるほか、撮影しないまま点灯しておくと、周囲の人の眼に光が入って眩しいという課題があった。このため、照明用ＬＥＤを効率よく制御することが、カメラを搭載したＰＣにとって重要な要件となっている。
【０００５】
これに対して、近年、デジタルカメラまたは携帯電話などの小型カメラに使用されるフラッシュ用ＬＥＤに関し、二種のモードを備えて一方を選択することにより、不要な電流の消耗を防止する制御装置が開示されている（例えば、特許文献１参照）。
【０００６】
この開示例では、ＬＥＤに低電流が持続的に供給される低電流連続制御モードと、高電流が一時的に供給される高電流パルス制御モードとを備え、撮影の構図を捉えるステップにおいて低電流連続制御モードを選択し、撮影ステップにおいて高電流パルス制御モードを選択することにより、ＬＥＤの不要な電流の消耗を防止する。
【特許文献１】特開２００５−３４６０２７号公報
【発明の開示】
【発明が解決しようとする課題】
【０００７】
しかしながら、ＬＥＤを低輝度にした状態で撮影の構図を捉え、高輝度に切り替えて撮影を行う従来の方法は、構図の決定機能に関し、課題を残している。すなわち、ＬＥＤを低輝度に抑制した状態では概略の構図を決定することができるが、周囲が暗い場合などにはＬＥＤの輝度が十分でなく、ＰＣの使用者が撮影において最終的な構図の決定が困難な場合が発生し、ＰＣに搭載されたカメラの機能を十分に活用することができない。
【０００８】
本発明は上記の課題を解決するものであり、使用者が補助光を必要とする撮影において、最終的な構図の決定に十分なＬＥＤの輝度が得られるとともに、消費電力を抑えたカメラ付の小型パソコン等の携帯型情報処理装置およびそのＬＥＤ点灯制御方法を提供することを目的とする。
【課題を解決するための手段】
【０００９】
上述した目的を達成するために、本発明の携帯型情報処理装置は、カメラ装置と、フラッシュ用のＬＥＤとを備えた携帯型情報処理装置であって、ＬＥＤを低輝度で点灯させるＬＥＤ点灯手段と、カメラ装置の撮影動作を開始する撮影動作開始手段と、撮影動作開始より所定時間前にＬＥＤの輝度を低輝度から高輝度に切り替える輝度切替え手段とを備えた構成である。
【００１０】
このような構成により、カメラ装置が撮影動作を開始する前にＬＥＤの発光輝度を低輝度から高輝度に切り替えることが可能となる。したがって、低輝度で撮影構図をラフに決定し、詳細な構図を決定するときには発光輝度を高め、撮影動作時にはこの高輝度を継続してフラッシュとして使用する。これにより、簡単な操作により正確に構図が決定できるとともに、電池の消費電力を抑制し、優れた利便性を備えた携帯型情報処理装置を提供することができる。
【００１１】
また本発明の携帯型情報処理装置は、半押し、全押し、解除の少なくとも３つの操作状態を有するシャッターボタンをさらに備え、シャッターボタンの半押し操作で、ＬＥＤ点灯手段はＬＥＤを低輝度で点灯させ、シャッターボタンの全押し操作で、輝度切替え手段はＬＥＤの輝度を低輝度から高輝度に切り替え、シャッターボタンの解除操作で、撮影動作開始手段はカメラ装置の撮影動作を開始させてもよい。
【００１２】
このような構成により、半押し、全押しおよび解除の３つのシャッターボタン操作により、ＬＥＤの点灯、発光輝度の切替えおよび撮影動作を行うことが可能となる。したがって、一連の撮影の操作がシャッターボタンのみで実行できるので操作性が向上する。
【００１３】
また本発明の携帯型情報処理装置は、半押し、全押しの少なくとも２つの操作状態を有するシャッターボタンと、ＬＥＤ点灯ボタンとをさらに備え、ＬＥＤ点灯ボタンの押下操作で、ＬＥＤ点灯手段はＬＥＤを低輝度で点灯させ、シャッターボタンの半押し操作で、輝度切替え手段はＬＥＤの輝度を低輝度から高輝度に切り替え、シャッターボタンの全押し操作で、撮影動作開始手段はカメラ装置の撮影動作を開始させてもよい。
【００１４】
このような構成により、ＬＥＤの点灯操作をシャッターボタン操作と切り離すことができるので、ＬＥＤの点灯を簡単かつ確実に行えるとともに、シャッターボタンの操作は通常のカメラと同じ（通常のカメラでは半押し操作はオートフォーカス動作）にできるので撮影操作が容易となる。
【００１５】
また本発明の携帯型情報処理装置は、押下、解除の少なくとも２つの操作状態を有するシャッターボタンとＬＥＤ点灯ボタンをさらに備え、ＬＥＤ点灯ボタンの押下操作で、ＬＥＤ点灯手段はＬＥＤを低輝度で点灯させ、シャッターボタンの押下操作で、輝度切替え手段はＬＥＤの輝度を低輝度から高輝度に切り替え、シャッターボタンの解除操作で、撮影動作開始手段はカメラ装置の撮影動作を開始させてもよい。
【００１６】
このような構成により、ＬＥＤの点灯操作をシャッターボタン操作と切り離すことができるので、ＬＥＤの点灯を簡単かつ確実に行えるとともに、シャッターボタン半押しの状態がないので、より安定したシャッターボタン操作を行うことができる。
【００１７】
本発明の携帯型情報処理装置のＬＥＤ点灯制御方法は、カメラ装置と、フラッシュ用のＬＥＤとを備えた携帯型情報処理装置のＬＥＤ点灯制御方法であって、ＬＥＤを低輝度で点灯させるＬＥＤ点灯ステップと、ＬＥＤの輝度を低輝度から高輝度に切り替える輝度切替えステップと、カメラ装置の撮影動作を開始する撮影動作開始ステップとを備えた。
【００１８】
また本発明の携帯型情報処理装置のＬＥＤ点灯制御方法は、半押し、全押し、解除の少なくとも３つの操作状態を有するシャッターボタンをさらに備えた携帯型情報処理装置のＬＥＤ点灯制御方法であって、シャッターボタンの半押し操作で、ＬＥＤ点灯ステップが実行され、シャッターボタンの全押し操作で、輝度切替えステップが実行され、シャッターボタンの解除操作で、撮影動作開始ステップが実行されてもよい。
【００１９】
また本発明の携帯型情報処理装置のＬＥＤ点灯制御方法は、半押し、全押しの少なくとも２つの操作状態を有するシャッターボタンと、ＬＥＤ点灯ボタンとをさらに備えた携帯型情報処理装置のＬＥＤ点灯制御方法であって、ＬＥＤ点灯ボタンの押下操作で、ＬＥＤ点灯ステップが実行され、シャッターボタンの半押し操作で、輝度切替えステップが実行され、シャッターボタンの全押し操作で、撮影動作開始ステップが実行されてもよい。
【００２０】
また本発明の携帯型情報処理装置のＬＥＤ点灯制御方法は、押下、解除の少なくとも２つの操作状態を有するシャッターボタンとＬＥＤ点灯ボタンをさらに備えた携帯型情報処理装置のＬＥＤ点灯制御方法であって、ＬＥＤ点灯ボタンの押下操作で、ＬＥＤ点灯ステップが実行され、シャッターボタンの押下操作で、輝度切替えステップが実行され、シャッターボタンの解除操作で、撮影動作開始ステップが実行されてもよい。
【発明の効果】
【００２１】
本発明によれば、使用者が補助光を必要とする撮影において、最終的な構図の決定に十分なＬＥＤの輝度が得られるとともに、消費電力を抑えたカメラ付の小型パソコン等の携帯型情報処理装置およびそのＬＥＤ点灯制御方法を提供することができる。
【発明を実施するための最良の形態】
【００２２】
以下、本発明の実施の形態について、図１から図６を用いて説明する。
【００２３】
（実施の形態）
本発明の実施の形態における携帯型情報処理装置（以下、「装置」と略記する）の事例について、以下に説明する。
【００２４】
まず、図１および図２により、装置１の構造の概略について説明する。図１および図２は、本発明の実施の形態における装置１の外観を示す正面斜視図および背面斜視図である。
【００２５】
装置１の前面１０は操作面になっており、液晶やプラズマディスプレイなどによる表示部１１、データを入力するための操作キーによる入力部１２、カメラ装置（図示せず）を使用するためのカメラ電源スイッチ１３、シャッターボタン１４、ＬＥＤ点灯ボタン１５、および出力部１６を備えている。また、装置１の背面２０にはカメラ装置２１を備えており、レンズ２２の両側面にＬＥＤがそれぞれ２個、合計４個配列されている。
【００２６】
つぎに、本発明の構成上の特徴であるカメラ装置２１の使用に係わる操作ステップについて、図３および図４を用いて説明する。
【００２７】
図３は、本発明の実施の形態における装置１に搭載されたカメラ装置２１の操作に関するタイムチャートであり、図４は、本発明の実施の形態におけるカメラ装置２１の操作ステップおよび実行手段を示す構成例一覧を示している。
【００２８】
まず、図４の構成例１に基づいて、カメラ装置２１の操作ステップについて説明する。この場合、操作ステップは、ステップ１（ステップ１を「Ｓ１」と略記する。以下、同様とする）からＳ７の７段階に区分される。まず、カメラ電源スイッチ１３を操作してカメラ装置２１を起動し（Ｓ１）、モニター画面（図１の表示部１１）、電源ランプ（表示せず）その他のカメラ操作に係わる表示を確認し、カメラ装置２１による撮影の準備を行う。つぎに、ＬＥＤ点灯ボタン１５（図１）を押して、ＬＥＤ２３、２４、２５、２６を低輝度で点灯し、モニター画面１１（図１）によりカメラ装置２１の撮影に係わる構図に関し、概略の設定を行い、第１段階の構図の設定を終了する（Ｓ２）。この段階で、シャッターボタン１４を半押ししてＬＥＤの２３、２４、２５、２６の発光輝度を切り替え、高輝度で発光させる。これにより、設定済みの撮影構図が明瞭に判別可能となるため、さらに構図を詳細に調整し、撮影構図を決定して第２段階の構図の設定を終了する（Ｓ３）。つぎに、シャッターボタン１４を全押しすることにより、露光（撮影）を開始する（Ｓ４）。なお、レンズの絞りと露光時間（シャッター速度）の設定は、自動またはマニュアル動作により行うことができる。露光開始後のステップとしては、露光の終了およびＬＥＤの消灯（点灯停止）のステップを備えているが、露光の終了についてはカメラの機構部の自動制御により行い、ＬＥＤの消灯はＬＥＤの点灯制御により自動的に行うことができる（Ｓ５、Ｓ６）。図３では露光の終了およびＬＥＤの消灯との間に時間差Ｂを設け、ＬＥＤの発光マージンを設定しているが、両方の実施のタイミングを一致させることにより、時間差Ｂを廃止できれば、消費電力の低減に寄与することができる。撮影動作が終了し、ＬＥＤを消灯した段階で、モニター画面１１（図１）により、撮影画像の確認などを行い、撮影作業がすべて終了したとき、カメラ電源スイッチ１３（図１）を操作して、カメラ装置２１の動作を停止する（Ｓ７）。
【００２９】
図４における構成例２と構成例１との違いは、ＬＥＤの発光輝度の切替え（Ｓ３）および露光開始（Ｓ４）に関し、構成例１ではシャッターボタンの半押しおよび全押しにより実行するのに対して、構成例２では、シャッターボタンの全押しおよび解除（シャッターボタンが押されていない状態）により実行する。また、構成例３では、ＬＥＤの点灯と、輝度の切替えおよび露光開始の３つのステップをシャッターボタンの操作の過程を、半押し、全押し、解除の３段階に区分することにより実行する。この構成により、ＬＥＤ点灯ボタン１５を廃止することができる。
【００３０】
つぎに、図３における３つの構成例に関するカメラ装置２１の主要な構成を、図５、図６のブロック図により示す。図５は構成例１、２に対応し、図６は構成例３に対応している。
【００３１】
まず、図５を用いて、本発明の実施の形態におけるカメラ装置２１の構成例１に関する構成要素および機能について説明する。カメラ装置１００は、機構部１１０、表示出力部１２０および信号処理部１３０の構成要素を備え、機構部１１０は、レンズやシャッター機構などのカメラの駆動機構を中心とする撮影部１１１、補助光用のＬＥＤ１１２、シャッターボタン１１３およびＬＥＤ点灯ボタン１１４を備えている。また、表示出力部１２０は、モニター画面により撮影に関する表示を行う表示部１２１および出力部１２２を備えている。出力部１２２は、外部接続端子および接続制御回路を備え、カメラ装置２１から外部に対して撮影に関する情報の出力を行う。
【００３２】
信号処理部１３０は、制御部１３１、スイッチ部１３２、点灯切替部１３３、ＬＥＤ点灯制御部１３４、発光信号記憶部１３５、データ処理部１３６および画像記憶部１３７を備えている。
【００３３】
スイッチ部１３２は、ＬＥＤ点灯ボタン１１４および制御部１３１からの指示情報に基づいてＬＥＤ１１２のＯＮ／ＯＦＦ（点灯および消灯）を行う機能を備え、点灯切替部１３３は、制御部１３１からの指示情報に基づいてＬＥＤの発光輝度の切替えを行うことができる。発光信号記憶部１３５は、ＬＥＤの発光に関する信号波形など低輝度および高輝度で発光する場合の発光パターンの記憶を行い、ＬＥＤ点灯制御部１３４では、スイッチ部１３２および点灯切替部１３３から受信した情報に基づき、発光信号記憶部１３５に記憶された発光パターンを使用してＬＥＤ１１２の点滅（ＯＮ／ＯＦＦ）および輝度の切替えを行う。
【００３４】
データ処理部１３６は、撮影部１１から撮影画像を受け取り、画像圧縮などの信号処理を行って画像記憶部１３７に蓄積する。また、制御部１３１からの指示情報に基づいて撮影部１１１または画像記憶部１３７から画像情報を受け取り必要な信号処理を行ったうえで、表示部１２１または出力部１２２に出力する。
【００３５】
シャッターボタン１１３は、半押しおよび全押しの機能を備え、シャッター操作の過程において、２つの操作ステップを実行することができる。これにより、制御部１３１に対して２つの操作ステップの指示を行い、点灯切替部１３３およびＬＥＤ点灯制御部１３４を介してＬＥＤの輝度の切替え、撮影部１１１において露光を実行することができる。
【００３６】
構成例２の特徴は、シャッターボタン１１３が、全押しおよび解除の機能を備え、構成例１と同様に、制御部１３１に対して２つの操作ステップの指示を行うことができる。その他の構成および機能に差異はない。
【００３７】
つぎに、図６に示す構成例３の特徴は、カメラ装置１０１のシャッターボタン１１３が、半押し、全押しおよび解除の３つの機能を備え、シャッター操作の過程において、３つの操作ステップを実行することができる。構成例１および構成例２とは異なり、制御部１３１に対して３つの操作ステップの指示を行うことができる。これにより、スイッチ部１３２、点灯切替部１３３およびＬＥＤ点灯制御部１３４を介して、ＬＥＤ１１２の点灯および発光輝度の切替えを実行することができる。したがって、ＬＥＤ点灯ボタン１１４を廃止することができる。その他の構成および機能に差異はない。
【００３８】
以上の通り、本発明による携帯型情報処理装置によれば、カメラ装置の使用に際し、ＬＥＤの発光パターンを制御することにより、撮影構図の設定時にはＬＥＤの発光輝度を下げ、構図を決定した後、発光輝度を最大にして撮影することができる。そして、撮影構図の設定時にはさらにＬＥＤの発光輝度を２段階に制御する。まず低輝度状態で概略の構図を設定した後、シャッターを切る直前に高輝度状態にして詳細な構図を決定する。その直後にシャッターが切られ撮影が行われるように制御される。したがって、カメラ付携帯型情報処理装置の消費電力を抑制し、電池の駆動時間を長くすることができる。また、不要なときはＬＥＤの発光輝度を低減することができるため、カメラ使用時の眩しさを抑制することができる。さらに、撮影前には十分な輝度で詳細な構図を決定できるので撮影の失敗を防止することができる。
【００３９】
なお、上記実施の形態では、ＬＥＤの輝度を変更するためにＬＥＤの電流を制御する例を説明したが、レンズの両側に配置された複数のＬＥＤの点灯個数を制御することによって輝度を変更するようにしてもよい。
【００４０】
また、上記実施の形態では、ＬＥＤ点灯制御はＬＥＤ点灯ボタンで行うとして説明したが、このボタンはＬＥＤ点灯制御専用ボタンであってもよいし、他の機能を有するボタンと兼用してもよい。さらには、ＰＣの操作キーをＬＥＤ点灯制御用として割り付けることも可能である。
【００４１】
また、上記実施の形態では、シャッターボタンを携帯型情報処理装置の前面に配置した例を説明したが、シャッターボタンの位置はこれに限定されるものではない。例えば、通常のカメラ装置のように携帯型情報処理装置の上面部や、あるいは側面部等に配置してもよい。
【産業上の利用可能性】
【００４２】
本発明による携帯型情報処理装置は、補助光の輝度を切り替えることにより、構図を詳細に設定して撮影を行うことができる。したがって、多様な用途に対して高品質のカメラ機能が求められる携帯型情報処理装置として有用である。
【図面の簡単な説明】
【００４３】
【図１】本発明の実施の形態における装置の外観を示す正面斜視図
【図２】同装置の外観を示す背面斜視図
【図３】同装置に搭載されたカメラ装置の操作に関するタイムチャート
【図４】同カメラ装置の操作ステップおよび実行手段を示す構成例一覧を示す図
【図５】同カメラ装置の構成例を示すブロック図
【図６】同カメラ装置の構成例を示すブロック図
【符号の説明】
【００４４】
１    携帯型情報処理装置
１０    操作面（前面）
１１，１２１    表示部(モニター画面)
１２    入力部
１３    カメラ電源スイッチ
１４，１１３    シャッターボタン
１５，１１４    ＬＥＤ点灯ボタン
１６，１２２    出力部
２０    背面
２１，１００，１０１    カメラ装置
２２    レンズ
２３，２４，２５，２６，１１２    ＬＥＤ
１１０    機構部
１１１    撮影部
１２０    表示出力部
１３０    信号処理部
１３１    制御部
１３２    スイッチ部
１３３    点灯切替部
１３４    ＬＥＤ点灯制御部
１３５    発光信号記憶部
１３６    データ処理部
１３７    画像記憶部
【図１】
2009210680.tif 000003
【図２】
2009210680.tif 000004
【図３】
2009210680.tif 000005
【図４】
2009210680.tif 000006
【図５】
2009210680.tif 000007
【図６】
2009210680.tif 000008